(57)【要約】      （修正有）【課題】電子データをスクロール表示する際に、電子データ内の情報の疎密に関わらず最適なスクロール量をユーザに提供する。【解決手段】制御指令を入力する入力手段２０１と、電子データを記憶しておく記憶手段２０６と、前記制御指令に従って前記記憶手段に記憶された情報を読み出し表示する表示手段２０２を備えた情報端末装置において、スクロールバーによるスクロール量を表示情報量の疎密に応じて決定するスクロール量決定手段２０４を備える。前記スクロールバーは情報量の疎密に応じて濃淡が変化するグラフィカルユーザインタフェースを備える。前記スクロール量決定手段はスクロール量の決定方法について複数の定義情報を格納した記憶手段２０５を備える。【選択図】図２
2012003656.tif 000002
【特許請求の範囲】
【請求項１】
制御指令を入力する入力手段と、電子データを記憶しておく記憶手段と、前記制御指令に従って前記記憶手段に記憶された情報を読み出し表示する表示手段を備えた情報端末装置において、スクロールバーによるスクロール量を表示情報量の疎密に応じて決定するスクロール量決定手段を備えることを特徴とする情報端末装置。
【請求項２】
前記スクロールバーは情報量の疎密に応じて濃淡が変化するグラフィカルユーザインタフェースを備えることを特徴とする請求項１に記載の情報端末装置。
【請求項３】
前記スクロール量決定手段はスクロール量の決定方法について複数の定義情報を格納した記憶手段を備えることを特徴とする。
【発明の詳細な説明】
【技術分野】
【０００１】
本発明は、情報表示手段を備えた固定型あるいは携帯型の情報端末装置に係り、特に、スクロールバーにより情報をスクロールさせながら表示する表示機能を備えた情報端末装置に関するものである。
【背景技術】
【０００２】
電子化されたデータを情報端末装置上に表示する場合、表示箇所としてデータの任意の箇所を端末に指示するユーザインタフェースが不可欠である。
例えば、電子化された文書データを情報端末装置上に表示する場合、表示可能な領域は限られており電子化されたデータの全てを１画面で表示することはできない。表示領域を移動する手段は不可欠である。また、電子化された動画データ、音声データなど時間軸を持つデータを端末上に表示する場合、時間軸を移動する手段は不可欠である。
現状、データの表示箇所を指示するためのユーザインタフェースとしてはスクロールバーが一般的である。
【０００３】
図１は、スクロールバーを備えたユーザインタフェースの例であり、情報の表示箇所を表し、かつユーザの指示を入力するスクロールバー部１０１、電子データを処理するデータ処理部１０２、電子化されたデータ部１０３、処理結果を表示する表示部１０４から構成されている。
このようなユーザインタフェースにおいてユーザがスクロールバー部１０１を操作すると、データ処理部１０２がスクロールバー部１０１の入力位置情報に基づきデータ部１０３の所定範囲のデータを表示部１０４に表示させる。
スクロールバーを操作した際のスクロール量は変更可能ではあるが、操作量に対するスクロール量は一定である。
【先行技術文献】
【特許文献】
【０００４】
【特許文献１】特開平４−１２７２６８号公報
【特許文献２】特開２０００−９９５２６号公報
【発明の概要】
【発明が解決しようとする課題】
【０００５】
このようなインタフェースを持つ装置では限られた表示領域に電子データが保持する情報全体の一部が表示され、スクロール操作を行うと一定のスクロール量で表示箇所が変わる。
しかし、1度に表示される情報量は情報量の疎密により変わるため、情報量が疎な箇所と密な箇所で同一量のスクロール操作を行うとスクロールされる情報量に大きな隔たりが発生してしまう。
情報量が密な箇所では少量のスクロール操作により大きく情報が変化する可能性が非常に高く、ユーザが目当ての情報を見つけにくくなるという問題が発生する。
例えば、電子データのテキスト文書の表示を想定すると、表示領域は行単位で決まっており、スクロール量も行単位で決定されることが一般的である。対して情報量は文字数で決まるため、文書内でも改行が多い箇所は情報量が疎であり、改行せずに文章が書かれている箇所は情報量が密になる。このような文書の閲覧を考えると1スクロール単位で表示領域外に出てしまう文字数は情報量が密な箇所のほうが圧倒的に多くなり、ユーザが情報  を見落とす可能性が高くなることがわかる。
本発明はこのような問題を解決することを目的とする。
【課題を解決するための手段】
【０００６】
上記目的を達成するために、本発明は、制御指令を入力する入力手段と、電子データを記憶しておく記憶手段と、前記制御指令に従って前記記憶手段に記憶された情報を読み出し表示する表示手段を備えた情報端末装置において、スクロールバーによるスクロール量を表示情報量の疎密に応じて決定するスクロール量決定手段を備えることを特徴とする。
また、前記スクロールバーは情報量の疎密に応じて濃淡が変化するグラフィカルユーザインタフェースを備えることを特徴とする。
また、前記スクロール量決定手段はスクロール量の決定方法について複数の定義情報を格納した記憶手段を備えることを特徴とする。
【発明の効果】
【０００７】
本発明によれば、次のような効果がある。
（１）電子データ内の情報を検索する際に、電子データ内の情報の疎密に関わらず最適なスクロール量をユーザに提供することができ、ユーザが情報を見落とす可能性を低減することができる。また、スクロールバーの濃淡が情報量の疎密に応じて変化するため、ユーザに情報量の疎密を視覚情報として認識させることができる。
（２）複数のスクロール量決定方法を予め定義しておくことにより、ユーザの求める最適なスクロール量を提供することが可能であり、また既存技術である固定のスクロール量のスクロール制御にも切り替えることが可能である。
【図面の簡単な説明】
【０００８】
【図１】本発明の背景技術の一例を示す装置のブロック構成図である。
【図２】本発明の一実施例を示すブロック構成図である。
【図３】本発明の一実施例を示す画面イメージ図である。
【図４】情報量の疎密に応じたスクロールバーのイメージ図である。
【図５】データ登録・更新時のスクロール量決定・登録処理のフローチャートである。
【図６】データ読み込み時のスクロール量読み込み処理のフローチャートである。
【図７】本発明でのスクロール処理のフローチャートである。
【図８】本発明でのデータ構成例である。
【発明を実施するための形態】
【０００９】
以下、本発明の一実施例を図面を用いて説明する。
図２は、本発明の一実施例を示す文書表示装置のブロック構成図であり、２０１はスクロール指示を行う機能を備えた入力手段であり、例えば文字や記号などを入力及び各種機能の指定を行う複数の打鍵式キーボードとマウスを備える入力手段である。
２０２は入力手段２０１からの入力を反映したスクロールバーや、スクロールバーの指定位置に対応した文書データを表示する表示手段であり、例えばＣＲＴディスプレイや液晶ディスプレイによりなっている。２０３はスクロール制御手段であり、入力手段２０１からの入力に応じたスクロール制御を行う機能を備えており、２０４のスクロール量決定手段と、２０５のスクロール管理情報記憶手段からなる。２０６は表示する文書データを保持する記憶手段であり、２０７は前記各手段を制御しながら入力に応じた文書データを表示手段に表示する表示制御手段である。
【００１０】
図３は表示手段２０２に表示される文書表示アプリケーションの画面例である。
３０１の文書表示部と３０２の情報量の疎密がスクロールバーの濃淡でわかるグラフィカルユーザインタフェースをもつスクロールバー部からなる。
【００１１】
図４は本発明におけるスクロールバーの一例を示す図である。
４０１が文書情報量の疎密に応じたスクロール量を提供するスクロールバー、４０２が通常のスクロール移動量が固定のスクロールバー、４０３が文書内の情報量とスクロール移動量の一例である。４０４の情報量が疎な部分は１単位に対するスクロール移動量を大きくしたことがわかるようにスクロールバーを濃く示し、４０５の情報量が密な部分は１単位に対するスクロール移動量を小さくしたことがわかるようにスクロールバーを淡く示している。
以下に図５、図６および図７の順にフローチャートに従って本発明に関わるスクロール量の決定・登録、読み込み処理と本発明におけるスクロール指示処理について説明する。
【００１２】
図５において、作製・編集した文書を登録する場合にキー入力処理を行い（ステップ５０１）、ステップ５０１で入力されたキーが登録指示かどうかを判断する（ステップ５０２）。
登録指示以外の場合は他の処理へ移行するが、登録処理の場合には登録する場合の文書名を入力する（ステップ５０３）。
その後、登録処理を行うが、以下では文書データと独立してスクロール量を記憶する場合をもとに説明する。
文書の登録処理として該当文書の文書データを図２の記憶手段２０６に登録し（ステップ５０４）、登録時に文書データから図２のスクロール量決定手段２０４に定義されている決定方法でスクロール量を決定し（ステップ５０５）、図２のスクロール管理情報記憶手段２０５に登録する。
スクロール量決定手段２０４に予め定義されている決定方法は例えば文章データのある定数行毎での文字数を情報量とし、文字数が多い場合は情報量を密としてスクロール量を少ない値、文字数が少ない場合は情報量を疎としてスクロール量を大きい値にするという方法である。
決定したスクロール量を元にスクロールバーの情報を更新し（ステップ５０６）、更新した画面を表示する（ステップ５０７）。
【００１３】
図６において作製・編集した文書を読み込みする場合に、キー入力処理を行い（ステップ６０１）、ステップ６０１で入力されたキーが文書の読み込み処理かどうかを判断する（ステップ６０２）。
読み込み指示以外の場合は他の処理へ移行するが、読み込み処理の場合には（ステップ６０３）表示される一覧から読み込みを行う文書名を選択する（ステップ６０４）。
ステップ６０５から図２の記憶手段２０６から指定文書のデータを、図２のスクロール管理情報記憶手段２０５から指定文書のスクロール量データを読み込み（ステップ６０６）、ステップ６０７にて更新した文書情報とスクロールバーを図２の表示手段２０２に表示する。
【００１４】
図７において、スクロール指示をした場合に、キー入力処理を行い（ステップ７０１）、入力されたキーがスクロール指示かどうかを判断する（ステップ７０２）。
スクロール指示の場合、スクロール位置を取得（ステップ７０３）、スクロール位置に相当する文書データを図２のスクロール制御手段２０３に問合せ（ステップ７０４）、当該文書データを図２の記憶手段２０６から読み込み（ステップ７０５）、図２の表示手段２０２に更新した文書情報を表示する（ステップ７０６）。
図８に上記例の場合のスクロール管理情報記憶手段２０５に記憶されたのデータ構成例を示す。
以上の処理により、文書を登録・更新する場合にスクロール管理情報を記憶することができかつ、文書の読み込み時には、記憶済みのスクロール管理情報を画面に設定し、本発明に関わるスクロール処理を実行可能である。
【符号の説明】
【００１５】
１０１…スクロールバー部、１０２…データ処理部、１０３…電子データ、１０４…表示部、２０１…入力手段、２０２…表示手段、２０３…スクロール制御手段、２０４…スクロール量決定手段、２０５…スクロール管理情報記憶手段、２０６…記憶手段、２０７…表示制御手段、３０１…文書表示部分、３０２…スクロールバー部、４０１…情報量の疎密に応じたスクロールバー、４０２…スクロール量が固定のスクロールバー。
【図１】
2012003656.tif 000003
【図２】
2012003656.tif 000004
【図３】
2012003656.tif 000005
【図４】
2012003656.tif 000006
【図５】
2012003656.tif 000007
【図６】
2012003656.tif 000008
【図７】
2012003656.tif 000009
【図８】
2012003656.tif 000010